(57)【要約】      （修正有）【課題】帽子等に縫着されている汗取りリボンを、容易に着脱することができ、部材や組み立て構造を簡素とし製作コストも安くかつ、衛生的な帽子等の着用具を提供する。【解決手段】着用具１は、帽子Ｃの帽体Ｃ１の内周縁に縫着された汗取りリボンＣ２と帽体Ｃ１との空隙Ｃ４に挿入し、保持されるもので、硬質合成樹脂材からなる取付基板２と、コーム体３を屈曲して形成した、差込み片４及び取付け片からなる。【選択図】図１
0003106276.tif 000002
【実用新案登録請求の範囲】
【請求項１】
内周縁に汗取りリボンを縫着した帽子又はサンバイザー等の着用具であって、
硬質の合成樹脂材を素材とした長四辺形状で、その短辺巾が、少なくとも前記汗取りリボンの立上げ巾とほぼ同寸巾もしくは細巾とすると共に、長辺は汗取りリボンに沿って湾曲状とした取付基板と、
金属又は硬質の合成樹脂材を素材とする、ほぼ直立状とした複数の差込み片と、その差込み片の一部を逆向きに屈曲して取付け片を形成するコーム体と、
よりなり、コーム体の差込み片の下端部を前記取付基板の裏面上端部に接着剤を介して固定させると共に、取付け片は、汗取りリボンの表面を摺動し、かつ汗取りリボンと取付基板を挟圧するように、その取付基板の短手方向に垂設させてなることを特徴とする、着脱可能な帽子等の着用具。
【請求項２】
前記取付基板と、差込み片及び取付け片が、硬質の合成樹脂材で一体的に製作されてなることを特徴とする、請求項１記載の着脱可能な帽子等の着用具。
【請求項３】
前記コーム体の差込み片頂部及び取付け片の下方先端部を先細状としたことを、特徴とする、請求項１ないし請求項２記載の着脱可能な帽子等の着用具。
【考案の詳細な説明】
【技術分野】
【０００１】  本考案は、着脱可能な帽子等の着用具に係り、詳しくは市販され又は既に使用中の、内周縁に汗取りリボンを縫着した帽子、サンバイザー等に装着又は離脱可能な着用具に関する。
【背景技術】
【０００２】  近年、ゴルフ、登山、ハイキング等のアウトドアスポーツが隆盛となり、多くの人が帽子、サンバイザー等を被着してスポーツ等を楽しんでいるが、天候不順による強風が吹いたり又は、スポーツ等における激動によって被着した帽子等が頭部から飛ばされる場合がある。【０００３】  この不測の事態を防ぐ従来の方法としては、帽子等の両下側部又はその近傍部位に細紐又はゴム紐等を取り付けておき、帽子等を被着したときにこれを顎下に括るか掛けて止着している。【０００４】  しかしながら、この方法では見映えが悪いうえに、顔面や顎に違和感と不快感を伴うので敬遠されている。この問題解決策として特開平７−４２０１１、実開平５−９４２３５等が提案されている。【０００５】  特開平７−４２０１は、帽体と顎と表側の飾リボン及び汗取りリボンの上端部に縫着された係止部材からなり、係止部材が金属又はプラスチック製の髪止め、髪飾り等に使用されるコムバンドから成ることを特徴としている。【０００６】  実開平５−９４２３５は、帽子の内側に設けてある帯状リングに櫛状の止め具の歯元部が糸によって縫着されている構造であり、櫛状の止め具の好適な実施例としてスプリングコームが例示されている。
【特許文献１】特開平７−４２０１１号公報
【特許文献２】実開平５−９４２３５号公報
【考案の開示】
【考案が解決しようとする課題】
【０００７】  特許文献１及び特許文献２はいずれも、くし歯の集合体であるコムバンドないしスプリングコームを主要部材とし、特許文献１及び特許文献２におけるコムバンドないしスプリングコームは、汗取りリボンの上端部を縫着しているので、帽子の洗濯時など必要において容易にこれを取り外すことができないので、これを逢着したままに洗濯、洗浄してもコムバンドないしスプリングコームに絡みついた頭髪などは除去されないので極めて非衛生的でありかつ、その製作工程においては、コムバンドないしスプリングコームの縫着作業は、煩瑣で細かい作業なので非効率的であるために、製作コストが割高となっている。【０００８】  本考案の目的は、上記の特許文献１及び特許文献２等が有するこれらの問題点を解決し、市販品又は既に使用中の帽子等に縫着されている汗取りリボンに、容易に着脱することが可能で、部材や組み立て構造は、比較的に簡素とし、製作コストも安価とすることができかつ、衛生的な帽子等の着用具を提供することにある。
【課題を解決するための手段】
【０００９】  上記の課題を解決するための第１の考案は、内周縁に汗取りリボンを縫着した帽子又はサンバイザー等の着用具であって、硬質の合成樹脂材を素材とした長四辺形状で、その短辺巾が、少なくとも前記汗取りリボンとほぼ同寸巾もしくは細巾とすると共に、長辺は汗取りリボンに沿って湾曲状とした取付基板と、金属又は硬質の合成樹脂材を素材とする、ほぼ直立状とした複数の差込み片と、その差込み片の一部を逆向きに屈曲して取付け片を形成するコーム体と、よりなり、コーム体の差込み片の下端部を前記取付基板の裏面上端部に接着剤を介して固定させると共に、取付け片は、汗取りリボンの表面を摺動させ、かつ汗取りリボンと取付基板を挟圧するように、その取付基板の短手方向の表面に垂設させてなることを特徴としている。【００１０】  第２の考案は、請求項１記載の着脱可能な帽子等の着用具において、前記取付基板と、差込み片及び取付け片が、硬質の合成樹脂材で一体的に製作されてなることを特徴としている。【００１１】  第３の考案は、請求項１ないし請求項２記載の着脱可能な帽子等の着用具において、前記コーム体の差込み片頂部及び取付け片の下方先端部を先細状としたことを、特徴としている。
【考案の効果】
【００１２】  本考案に係る、着脱可能な帽子等の着用具は、上記の構成になるから以下の効果を奏する。即ち、第１の考案によれば、汗取りリボンに取付けられる取付基板の長辺は、汗取りリボンに沿って湾曲状としているので、着脱が容易であり、また必要に応じて着脱が可能なので、市販品又は既に使用している帽子、サンバイザー等に着用でき、また随時、洗浄してから再使用が可能なので極めて衛生的である。さらに本考案の着用具を構成する主な部材は、硬質合成樹脂材からなる取付基板と金属又は硬質合成樹脂材からなるコーム体であるから、全体重量も軽量であり、そのために長時間の着用も負担とならない。また着用時に突風や強風が吹いたときでも、コーム体に立設された複数の差込み片が、頭髪に差し込まれて係止されるので、帽子等が飛ばされることがない。またスポーツにおける激しいプレーを行っても帽子等が脱落することがない。【００１３】  第２の考案によれば、取付基板と、差込み片及び取付け片が、硬質の合成樹脂材を用いて一体的に製作するので、大量生産が可能となるため、製作コストが安価となる。【００１４】  第３の考案によれば、コーム体の差込み片頂部及び取付け片の下方先端部を先細状としているので、強風を帽子の鍔部に受けたとき、差込み片は、頭髪に容易にかつ違和感なく差し込まれ確実かつ強固に係止される。また取付け片を汗取りリボンに取り付けるに際しては、下方先端部を先細状としているのでその取り付けと取り外し作業が簡便にできるという効果が発揮される。
【考案を実施するための最良の形態】
【００１５】  以下、本考案に係る、着脱可能な帽子等の着用具（以下、着用具と言う）に関する好適な実施形態について、図面を参照しながら説明する。図１は、着用具を取り付けた帽子の一部切欠斜視図で、図２は着用具の第１の実施例を示す正面図、図３はその背面図、図４は図２の４−４線拡大断面図、図５は着用具を帽子の汗取りリボンに取り付けた状態を示す断面図、図６は着用具の第２の実施例を示す正面図、図７は図６の７−７線拡大断面図、図８は着用具の第３の実施例を示す正面図、図９は図８の９−９線拡大断面図である。【００１６】  図１ないし図５に示すように、着用具１は、帽子Ｃの帽体Ｃ１の内周縁に縫着された汗取りリボンＣ２と帽体Ｃ１との空隙Ｃ４に挿入し、保持されるもので、２は、取付基板で、硬質合成樹脂材例えば、ポリプロピレン、ポリエチレンテレフタート等を素材とした、厚さが約２ｍｍ〜３ｍｍ、長辺を約１０ｃｍ〜１３ｃｍ、短辺を約２．５ｃｍ〜３．５ｃｍとした長四辺形で、帽体Ｃ１と汗取りリボンＣ２の内周縁に沿って湾曲状に形成されている。【００１７】  ３はコーム体で、金属線条材好ましくは、ピアノ線等の弾性線条を複数本、くし歯状に曲成したもので、これを差込み片４とし、取付け片５、６、７は、コーム体３の一部例えば、図２〜図４に示すように、コーム体３のほぼ中心部と左右両端部のものを他の差込み片４と逆向き（下向き）にかつ、汗取りリボンＣ２を挟着する巾寸法の空間があるように屈曲５ａ、６ａ、７ａして形成されている。また差込み片４の頂部４ａは、先細状とすると共に、その全体形状は、図５に示すように、帽体Ｃ１の中央方向Ｃ３に弓なり状になっている。【００１８】  次に、着用具１の製作手順について説明する。図３ないし図４に示すように、取付基板２の裏面上端部２ａの長手方向に瞬間接着剤８等を塗布し、直ちにその接着剤８上に複数の差込み片４の下端部４ｂを押圧し、数秒間これを保持すれば、差込み片４は、取付基板２の裏面から上方に向かって立設され、取付け片５、６、７は、取付基板２のほぼ中心部と左右両端部の表面に垂設され、着用具１の製作は終了する。【００１９】  図５に示すように、着用具１の汗取りリボンＣ２への取り付けは、額部が当接する部位の汗取りリボンＣ２に取り付けられるもので、取付基板２の下端２ｂを汗取りリボンＣ２と帽体Ｃ１との空隙Ｃ４に挿入させ、徐々に下方に向けて押し込んでいけば、それに伴い取付基板２のほぼ中心部と左右両端部の表面に垂設されている取付け片５、６、７が、汗取りリボンＣ２の表面を下降し、取付基板２の下端２ｂが汗取りリボンＣ２の底部に達すれば、取付け片５、６、７は、汗取りリボンＣ２のそれぞれの部位を強く挟圧、保持される。【００２０】  着用具１を汗取りリボンＣ２から取り外すには、好ましくは中央部の複数の差込み片４を指先で摘み、帽体Ｃ１の中央方向Ｃ３に引けば、容易に着用具１と汗取りリボンＣ２は分離する。【００２１】  図６及び図７は、本考案に係る着用具２０の第２の実施例を示すもので、差込み片４及び取付け片５、６、７は、第１の実施例と同様にコーム体３を屈曲５ａ、６ａ、７ａしてなるものであり、取付基板２１は、図７に示すようにＵ字状の合成樹脂板で、差込み片４の下端���４ｂを順次、取付基板２１の開口部２１ａから挿入し、挟着した後、ヒートシーラー（不図示）等により下端部４ｂ近傍を溶着２１ｂして、差込み片４及び取付け片５、６、７を固定している。【００２２】  図８及び図９は、本考案に係る着用具３０の第３の実施例を示し、差込み片４’、取付け片５’、６’、７’及び取付基板３１は、同一合成樹脂材を射出又は押出し成型法により一体的に製作してなるものである。
【産業上の利用可能性】
【００２３】  本考案は、ゴルフ、登山、ハイキング等のアウトドアスポーツが隆盛となり、多くの人が帽子、サンバイザー等を被着してスポーツ等を楽しんでいる今日、帽子等の生産、販売分野、コーム体の生産分野、合成樹脂板生産分野等、多岐分野の活性化に寄与することが期待される。
【図面の簡単な説明】
【００２４】
【図１】本考案に係る、着用具を取り付けた帽子の一部切欠斜視図である。
【図２】着用具の第１の実施例を示す正面図である。
【図３】同上、背面図である。
【図４】図２の４−４線拡大断面図である。
【図５】着用具を帽子の汗取りリボンに取り付けた状態を示す拡大断面図である。
【図６】着用具の第２の実施例を示す正面図である。
【図７】図６の７−７線拡大断面図である。
【図８】着用具の第３の実施例を示す正面図である。
【図９】図８の９−９線拡大断面図である。
【符号の説明】
【００２５】Ｃ                            帽子
Ｃ１                          帽体
Ｃ２                          汗取りリボン
Ｃ３                          帽体の中心
Ｃ４                          空隙
１、２０、３０                着用具
２、２１、３１                取付基板
３                            コーム体
４、４’                      差込み片
５、６、７、５’、６’、７’  取付け片
５ａ、６ａ、７ａ              屈曲
８                            瞬間接着剤
２１ｂ                        溶着
【図１】
0003106276.tif 000003
【図２】
0003106276.tif 000004
【図３】
0003106276.tif 000005
【図４】
0003106276.tif 000006
【図５】
0003106276.tif 000007
【図６】
0003106276.tif 000008
【図７】
0003106276.tif 000009
【図８】
0003106276.tif 000010
【図９】
0003106276.tif 000011